(57)【特許請求の範囲】
【請求項１】
取付フランジと吊り金具とからなり、上記取付フランジは、下杭の内径と略同じ内径にして下杭の外径よりやや大きい外径を有するリング状に形成し、その周方向にはボルト孔を所要数列設して下杭頭部に形成されたタップ穴に取付け得るようにすると共に一側部適所に吊りボルトを設けてあり、上記吊り金具は、下杭の外径よりやや大きい内径を有する円筒状支持部の上下両端に、内径が支持部の内径と同じにして外径が支持部の外径より大きい取付板を夫々突設し、前記支持部の適所には両取付板間にワイヤ孔を設けた吊り部材を突設し、前記上側取付板の上側内周には、支持部と同一の内径にして、上端が前記取付フランジの外側縁に係止し得る保持部を連設し、該保持部の外側面部には、下杭の外側面部を押圧し得る固定ボルトを適宜数配設すると共に、保持部外側の適所に吊り金具を水平に吊るための吊板を設けてあることを特徴とする既製コンクリート杭の下杭用吊り装置。
【請求項２】
取付フランジと吊り金具とからなり、上記取付フランジは、杭の内径と略同一の内径にして杭の外径と略同一の外径を有するリング状に形成し、その外周面部には複数個の係止用突片を所要間隔を置いて設け、その周方向にはボルト孔を所要数列設して杭頭部に形成されたタップ穴に取付け得るようにすると共に、その一側部適所には吊りボルトを設けてあり、上記吊り金具は、杭の外径よりやや大きい内径を有する円筒状支持部の上下両端外周に上下一対の取付板を設けすると共に、その上側取付板の内周には係止縁を突設し、前記支持部の周壁内面部には、上側取付板の係止縁部との間に前記取付フランジの突片と係合し得る引掛片を突設し、該引掛片の周方向一側端部には正転防止用ストッパーを設けると共にその反対側には逆転防止用ストッパーを着脱可能に設け、前記下側取付板から上側取付板上に突出していてワイヤ孔を有する吊り部材を設け、前記両側取付板間の支持部外側適所に吊板を配設してあることを特徴とする既製コンクリート杭用吊り装置。
【請求項３】
杭の外径よりやや大きい内径を有する円筒状支持部の上下両端外周に一対の取付板を設けると共に、その上側取付板の内周には係止縁を突設し、前記円筒状支持部の周壁内面部には、上側取付板の係止縁部との間に、杭頭部の外周に所要間隔毎に適宜設けた突片を係合し得る引掛片を適宜数突設し、該引掛片の周方向一側端部には正転防止用ストッパーを所要数設けると共にその反対側には逆転防止用ストッパーを着脱可能に設け、前記下側取付板から上側取付板上に突出していてワイヤ孔を有する吊り部材を設け、円筒状支持部外側の上下両取付板間の適所には吊板を配設してあることを特徴とする既製コンクリート杭用吊り金具。
【発明の詳細な説明】
【０００１】
【発明の属する技術分野】
本発明は、既製コンクリート杭の下杭、中杭及び上杭を夫々クレーンのワイヤで吊るための吊り装置に関する。
【０００２】
【従来の技術】
従来、土木基礎工事に於いて、ＰＣ杭、ＳＣ杭、ＲＣ杭等の各種既製コンクリート杭を所定の位置に沈設する工法として、プリボーリング工法、打込み工法、中堀り工法等が主として用いられているが、何れの工法に於いても、既製コンクリート杭をクレーンにより吊り込む必要がある。
而して、従来は、既製コンクリート杭を吊る手段としては、複数本のワイヤを直接コンクリート杭の上端部外周に数回巻き付け、該ワイヤをクレーンのワイヤロープのフックに引掛けて吊る方法が最も一般的に行われている。
【０００３】
【発明が解決しようとする課題】
しかし、上記の如き従来の吊り方では、既製コンクリート杭を吊った時に非常に不安定であり且つ安全性に難があったために、吊り込み作業を効率的に行えない難点があった。
また、特に中堀り工法を用いて下杭を沈設する場合、先ず下杭内に挿入されているスクリューをオーガー機に接続させるために、下杭を斜めに吊込む必要があるが、従来の方法ではその作業を迅速且つ効率的に行えない難点があった。
【０００４】
【課題を解決するための手段】
そこで本発明では従来方法の難点に鑑み、既製コンクリート杭の上杭、中杭及び下杭を夫々、安全且つ効率的に吊込むことが出来ると共に、特に下杭は斜めにして吊込み得るようにした既製コンクリート杭の吊り装置を提供せんとするものである。
【０００５】
【発明の実施の形態】
本発明に係る下杭の吊り装置は、取付フランジと吊り金具とからなり、上記取付フランジは、下杭の内径と略同一の内径にして下杭の外径よりやや大きい外径を有するリング状に形成し、その周方向にボルト孔を所要数列設して下杭頭部に形成されたタップ穴に取付け得るようにすると共にその一側部適所には吊りボルトを設けてある。
また、上記吊り金具は、下杭の外径よりやや大きい内径を有する円筒状支持部の上下両端に、内径が支持部の内径と同じにして外径が支持部より一段と大きい取付板を夫々付設し、前記支持部の適所には両取付板間にワイヤ孔を設けた吊り部材を突設し、前記上側取付板の上側内周には、支持部と同一の内径にして、上端が前記取付フランジの外側縁に係止し得る保持部を連設し、該保持部の外側面部には、下杭の外側面部を押圧し得る固定ボルトを適宜数配設すると共に、保持部外側の適所に吊り金具を水平に吊るための吊板を設けて構成してある
【０００６】
また、前記固定ボルトを、保持部の外側面部に付設した補強材に設けると共に、吊板を該補強材の上下両端部に夫々設ける場合もある。
【０００７】
また、本発明に係る中杭及び上杭用吊り装置は、取付フランジと吊り金具とからなり、上記取付フランジは、杭の内径と略同一の内径にして杭の外径と略同一の外形を有するリング状に形成し、その外周面部には複数個の係止用突片を所要間隔を置いて設け、その周方向にはボルト孔を所要数列設して杭頭部に形成されたタップ穴に取付け得るようにすると共に、その一側部適所には吊りボルトを設けてある。
上記吊り金具は、杭の外径よりやや大きい内径を有する円筒状支持部の上下両端外周に上下一対の取付板を設けすると共に、その上側取付板の内周には係止縁を突設し、前記支持部の周壁内面部には、上側取付板の係止縁部との間に、前記取付フランジの突片と係合し得る引掛片を突設し、該引掛片の周方向一側端部には正転防止用ストッパーを設けると共にその反対側には逆転防止用ストッパーを着脱可能に設け、前記下側取付板から上側取付板上に突出していてワイヤ孔を有する吊り部材を設け、前記両側取付板間の支持部外側適所に吊板を配設して構成してある
【０００８】
また、本発明に係る既製コンクリート杭用吊り金具は、杭の外径よりやや大きい内径を有する円筒状支持部の上下両端外周に一対の取付板を設けると共に、その上側取付板の内周には係止縁を突設し、前記円筒状支持部の周壁内面部には、
上側取付板の係止縁部との間に、杭頭部の外周に所要間隔毎に適宜設けた突片と係合し得る引掛片を適宜数突設し、該引掛片の周方向一側端部には正転防止用ストッパーを所要数設けると共にその反対側には逆転防止用ストッパーを着脱可能に設け、前記下側取付板から上側取付板上に突出していてワイヤ孔を有する吊り部材を設け、円筒状支持部外側の上下両取付板間の適所には吊板を配設して構成してある。
【０００９】
【実施例１】
図１乃至図５において、１は既製コンクリート杭の下杭用吊り装置であって、取付フランジ１０と吊り金具２０からなる。
上記取付フランジ１０は、下杭Ａの内径と略同一の内径を有し、且つ下杭の外径より大きい外径を有するリング状に形成してあり、その周方向には、座ぐりを形成したボルト孔１１を、下杭Ａの杭頭Ｂに既設されているタップ穴Ｃと同一の間隔をおいて多数列設してある。なお、１２は横置きされた下杭Ａに装着する際にワイヤで吊り下げる為のＩボルトを示す。
【００１０】
また、上記吊り金具２０は、下杭Ａの外径よりやや大きい内径を有する円筒状支持部２１の上下両端に、該支持部２１の内径と同一の円孔２４を有し、外径が支持部２１より一段と大きい取付板２２、２３を夫々付設してある。なお、２５は、支持部と両取付板間の適所に設けた補強片を示す。
而して、上側取付板２２の上側内周には、前記支持部２１と同一の内径にして、上端が上記取付フランジ１０の外周縁に係止し得る所要長さの筒状保持部２６を一体に連設してある。
【００１１】
また、２７はワイヤ取付孔２８を設けた吊り部材であって、その内側部を支持部２１の外側面部と両取付板２２、２３間に挟着して、その取付孔部２８が両取付板より外側に突出するように形成してある。
なお、２９は前記保持部２６の外側面上に等間隔を於いて配設した断面略コ状の補強材を示す。
【００１２】
而して、３０は前記補強材２９の上下両端部に夫々設けた、ワイヤ取付孔３１を有する水平吊り用の吊板であり、３２は前記補強材の中間部に設けた固定ボルトであって、その先端部が保持部２６を貫通して下杭の外側面部に押圧し得る様にして、沈設時に吊り金具２０が落下するのを防止するものである。
【００１３】
次に、上記下杭吊り装置１を用いた下杭Ａの吊り方につき説明する。
先ず、吊り部材２７には吊り込み用のメインワイヤＭを、吊り板３０には水平吊り用のサブワイヤＳを夫々取付けると共に、フランジのＩボルトにもワイヤを取付けておく。
そして、水平に吊られた吊り金具２０を横置きされた下杭Ａまで移送してその支持部２１側から下杭先端部に嵌めた後、同様に吊下げられた取付フランジ１０を、杭頭Ｂに既設されたタップネジＣを利用して杭頭上面に被着する。
なお、前記タップネジＣの一箇所に、予めガイドピン（図示省略）を取付けて置けば、フランジの重量を感じることなく容易に芯出しが出来、取付けが楽に出来る。
次に、吊り金具２０の上端面を取付フランジ１０の外周縁に当接させた後、固定ボルト３２を締め付けると、吊り金具２０は下杭上端部外周に固着され、沈設時に落下する惧れがない。
【００１４】
取付フランジ１０と吊り金具２０が下杭Ａにしっかり固定されている事を確認した後に、サブワイヤＳを取り除く。
而して、図６に示すように、メインワイヤＭをクレーンで吊り上げると、下杭Ａは、その杭頭より保持部２６の長さだけ下側部を吊られているので、斜めになった状態で吊込まれる。
従って、下杭に内挿されている掘削スクリューの先端部をオーガー機に接続する作業を効率的且つ安全に行うことが出来る。
【００１５】
【実施例２】
図７乃至図１２において、２はＰＣ製中杭及び上杭用の吊り装置であり、取付フランジ４０と吊り金具５０とからなる。
上記取付フランジ４０は、杭Ｄと略同一の内径及び外径を有するリング状に形成し、その外周面部には複数個（図４では４個）の係止用突片４１を所要間隔を置いて設けると共に、その周方向には座ぐりを形成したボルト孔４２を所要数列設して、杭の杭頭Ｅに形成されたタップ穴Ｆに取付け得るように形成してある。なお、４３はワイヤで吊るために設けた一対のＩボルトを示す。
【００１６】
而して、上記吊り金具５０は、杭の外径よりやや大きい内径を有する円筒状支持部５１の上端に、該支持部の内径よりやや小径の円孔５５を設けて、内周部に係止縁５６を形成した上側取付板５４を設け、支持部５１の下端には支持部の内径と略同径の円孔５８を設けた下側取付板５７を夫々配設してある。
また、５９は一対の板状吊り部材であって、その下端部を下側取付板５７上面に固着すると共に、中央部を上側取付板５４に固着し、ワイヤ孔６０を形成したその上側部を前記上側取付板５４より突設してある。
【００１７】
また、６１は支持部５１の周壁５２に沿って所定間隔をおいて設けた引掛片であって、前記周壁５２に形成した透孔５３に、その内側先端部が周壁内周面より所要幅内側に突出し得るように設けてあり、その引掛片６１と係止縁部５６間に前記取付フランジ４０の突片４１を夫々係合し得るようになっている。
なお、６２は各引掛片６１の周方向一側端部に夫々設けた正転防止用ストッパーであって、吊り金具５０が反時計方向に回動しようとすると、各ストッパー６２が取付フランジ４０の突片４１に当たり、反時計方向の回動を阻止し得るようになっている。
【００１８】
また、６３は上記正転防止用ストッパー６２とは反対側に設けた逆転防止用ストッパーであって、断面Ｌ状に形成してあり、その水平部６４を上側取付板５４の上面に蝶ネジ６６により止着すると共に、その垂直部６５を、上側取付板の係止縁部５６に形成した切欠凹部６７より周壁内面部に垂下してある。而して、前記吊り金具５０が時計方向に回動しようとすると、前記垂直部６５が取付フランジ４０の突片４１に当たり時計方向の回動を阻止し得るようになっている。
なお、６８は前記上下取付板５４，５７間に設けた吊板であって、ワイヤ孔６９を設けてある。
【００１９】
次に上記吊り装置２を用いた杭の吊り方を説明する。
先ず、吊り部材５９、５９間には吊込み用のメインワイヤＭを、吊り板６９、６９にはサブワイヤＳを夫々取付けておくと共に、取付フランジ４０のＩボルト４３にもワイヤを取付けておく。
そして、取付フランジ４０を、横置きされた杭Ｄの杭頭Ｅに既設されたタップ穴Ｆを利用して杭頭上面に被着する。
【００２０】
次に、吊り金具５０を、下側取付板５７側より杭の上端部へ嵌め、取付フランジの係止用突片４１が支持部５１内周に突設した引掛片６１、６１間の凹所を通り、上側取付板５４の係止縁部５６に当たるまで嵌入させた後、吊り金具５０を時計とは反対方向に回すと、取付フランジ４０の各突片４１は、引掛片６１の上面と上側取付板の係止縁５６間に係止される。
最後に、逆転防止ストッパー６４を取付けると、各突片４１の左右両側部が正転防止ストッパー６３と逆転防止ストッパー６４間に係止される。
而して、図１３に示すように吊り上げ、その沈設作業中に吊り金具５０が多少回動した場合でも、吊り金具５０は取付フランジ４０にしっかり固定されているので、安全に杭を吊込むことが出来る。
なお、本実施例においてはＰＣ製の中杭及び上杭の吊り装置につき説明したが、杭頭にタップ穴を有する他の杭にも使用することができる。
【００２１】
【実施例３】
本実施例は、最もストレスが掛かる上杭として、外殻鋼管付きコンクリート杭（ＳＣ杭）を用いた場合である。
本実施例においても、上記実施例２の吊り金具５０をそのまま使用することが出来るが、ＳＣ杭にはその杭頭にタップ穴が設けられていないので前記取付フランジ４０をそのまま使用することが出来ない。
従って、図１５に示すように、上杭Ｇの杭頭部の外周面部に、前記取付フランジの突片４１に相当する突片８０を一定間隔を置いて所要数溶着するものである。なお、本実施例に置けるＳＣ杭の吊り方は、上記実施例２と同様に行うことができるので、その詳細な説明は省略する。
【００２２】
【発明の効果】
本発明に於いては、請求項１記載の如く構成したので、既製コンクリート杭の下杭を斜めに確実に吊り込む事が出来ると共に、杭内に挿入されているスクリューをオーガー機に接続する作業を安全且つ効率的に行うことが出来る。
【００２３】
また本発明に於いては、請求項２記載の如く構成したので、既製コンクリート杭の中杭及び上杭を確実に吊り込むが出来ると共に、その沈設作業を安全且つ効率よく行うことが出来る。
【００２４】
また本発明に於いては、請求項３記載の如く構成したので、杭頭にタップ穴を有するＰＣ杭や、タップ穴がないＳＣ杭等の既製コンクリート杭を容易に吊込む事が出来ると共に、その沈設作業を安全に行うことが出来る。
【図面の簡単な説明】
【図１】  下杭用取付フランジの平面図である。
【図２】  同上断面図である。
【図３】  下杭用吊り金具の平面図である。
【図４】  同上側面図である。
【図５】  下杭に取付けた状態を示す断面図である。
【図６】    下杭の吊下げ状態を示す概略図である。
【図７】  中杭用取付フランジの平面図である。
【図８】  同上断面図である。
【図９】  中杭用吊り金具の平面図である。
【図１０】  図９におけるＡ−Ａ線断面図である。
【図１１】  同上Ｂ−Ｂ線断面図である。
【図１２】  同上Ｃ−Ｃ線断面図である。
【図１３】  中杭に取付けた状態を示す断面図である
【図１４】    中杭の吊下げ状態を示す概略図である。
【図１５】  ＳＣ杭の杭頭部外周面部にフランジ突片を溶着した状態を示す平面図である。
【符号の説明】
１  下杭用吊り装置
２  中杭用吊り装置
１０  取付フランジ
１１  ボルト孔
１２  Ｉボルト
２０  吊り金具
２１  円筒状支持部
２２  上側取付板
２３  下側取付板
２４  円孔
２６  保持部
２７  吊り部材
２８  ワイヤ取付孔
２９  補強材
３０  水平吊り用吊板
３１  ワイヤ取付孔
３２  固定ボルト
４０  取付フランジ
４１  係止用突片
４２  ボルト孔
４３  Ｉボルト
５０  吊り金具
５１  円筒状支持部
５２  周壁
５３  透孔
５４  上側取付板
５５  円孔
５６  係止縁部
５７  下側取付板
５８  円孔
５９  吊り部材
６０  ワイヤ孔
６１  引掛片
６２  正転防止用ストッパー
６３  逆転防止用ストッパー
６４  水平部
６５  垂直部
６６  蝶ねじ
６７  切欠凹部
６８  吊板
６９  ワイヤ孔
８０  突片
【図１】
0003943917.tif 000002
【図２】
0003943917.tif 000003
【図３】
0003943917.tif 000004
【図４】
0003943917.tif 000005
【図５】
0003943917.tif 000006
【図６】
0003943917.tif 000007
【図７】
0003943917.tif 000008
【図８】
0003943917.tif 000009
【図９】
0003943917.tif 000010
【図１０】
0003943917.tif 000011
【図１１】
0003943917.tif 000012
【図１２】
0003943917.tif 000013
【図１３】
0003943917.tif 000014
【図１４】
0003943917.tif 000015
【図１５】
0003943917.tif 000016